(57)【要約】  本発明は、プリント基板のコネクタであって、ハウジングを具備し、該ハウジングがプリント基板の第一面に支持されるようにハウジング（２）と一体物として提供されると共に該ハウジングにしっかりと接続された第一支持部（８）を有するコネクタに関する。本発明は、コネクタがハウジングと一体物として提供される第二支持部（１３）であってプリント基板の第二面上に支持される第二支持部を有し、該第二支持部が支持部に対して一つの支持方向に従って移動せしめられるようにハウジングに弾性的に接続され、取り付け状態にないときには、これら支持部（８）が一組のプリント基板の最小の厚さよりも短い距離（ｄ）だけ離間していることを特徴とする。
2007516566.tif 000002
【特許請求の範囲】
【請求項１】
プリント基板カードのコネクタであって、ハウジング（２）を具備し、該ハウジングが該ハウジングと一体であって該ハウジングにしっかりと接続される第一当接部（８）であってプリント基板カードの第一面に当接する第一当接部を有し、当該コネクタが前記ハウジングと一体である第二当接部（１３）であってプリント基板カードの第二面に当接する第二当接部を有し、該第二当接部が前記第一当接部と第二当接部とが互いに対して当接方向に移動することができるように前記ハウジングに弾性的に接続され、取り付け状態にないときには、前記第一当接部（８）と第二当接部とがプリント基板カードの理論的に最小の厚さよりも短い距離（ｄ）だけ離間していることを特徴とするコネクタ。
【請求項２】
前記第一当接部が少なくとも一つの当接部材（８）を有し、該当接部材が当該コネクタの当接面を画成すると共に前記ハウジング（２）から突出し且つプリント基板カードに当接して当該コネクタの前記当接面に対して垂直に延在する剛性のある隔壁（７）に保持されていることを特徴とする請求項１に記載のコネクタ。
【請求項３】
前記剛性のある隔壁（７）がプリント基板カード上に当該コネクタを位置決めするための位置決め杭（９）を備えることを特徴とする請求項２に記載のコネクタ。
【請求項４】
前記第二当接部が少なくとも一つの当接部材（１３Ａ）を有し、該当接部材が前記ハウジング（２）から突出する可撓ブレード（１０）に固定されるアーム（１２）の端部に保持され、当該コネクタがプリント基板カード上に取り付けられたときに前記可撓ブレード（１０）がプリント基板カードの第一面の傍で延在すると共に前記アーム（１２）がプリント基板カードを貫通することを特徴とする請求項１に記載のコネクタ。
【請求項５】
前記可撓ブレード（１０）が剛性のある隔壁（７）に近接して延在し、前記アーム（１２）が前記可撓ブレード（１０）に該可撓ブレードの中央の領域内で接続され、該可撓ブレードが隣接する剛性のある隔壁（７）に接続される端部（１１）を有することを特徴とする請求項２および請求項４に記載のコネクタ。
【請求項６】
剛性のある隔壁（７）と該剛性のある隔壁（７）に接続される可撓ブレードとをそれぞれ有する二つの保持組立体（５）を具備することを特徴とする請求項５に記載のコネクタ。
【請求項７】
前記保持組立体（５）が互いに対称に延在していることを特徴とする請求項６に記載のコネクタ。
【発明の詳細な説明】
【技術分野】
【０００１】
本発明は、プリント基板カードのコネクタに関する。
【背景技術】
【０００２】
特許文献１は、プリント基板カードのコネクタを開示しており、このコネクタは、ハウジングを有し、このハウジングは、プリント基板カードの第一面を押圧する第一部分を有し、この第一部分は、ハウジングと一体であって該ハウジングにしっかりと接続される。
【０００３】
上記コネクタは、ハウジングに取り付けられる金属性のクリップを有し、このクリップは、プリント基板カードの第二面に当接する第二当接部を形成するラッチで終端するアームを画成する一つの自由端を備える。
【０００４】
上記当接部は、コネクタがプリント基板カードにはんだ付けされる間、プリント基板カード上にコネクタを位置決めする働きをする。
【０００５】
コネクタがプリント基板カード上にクリアランスなく取り付けられることを保証するために、クリップは、当接部間の距離を変更できるよう弾性変形可能な部分を有し、取り付け状態にないときに、プリント基板カードの理論的に最小の厚さよりも短い距離だけ前記当接部が離間している。
【０００６】
したがって、コネクタをプリント基板カード上の所定の場所へ配置することによって、当接部がクリップの変形部によって生じる復元力に抗して離れるように移動する。
【０００７】
復元力の作用は、第一当接部をプリント基板カードの第一面にしっかりと押圧することであり、第一当接部とハウジングとの間の接続がしっかりしているため、コネクタが前記面に対して適切に配置されていることが自動的に保証される。
【０００８】
このように支持されている間、コネクタとプリント基板カードとが、はんだ付け作業の終了時にプリント基板カードに対して不完全に配置される虞れもなく、はんだ付け可能となる。
【０００９】
しかしながら、クリップを用いることは、クリップ自体が組み立てられることのみならず、クリップをハウジングに組み立てる動作も必要とし、それは、コネクタのコストを増加させている。さらに、クリップがあることによって、クリップが受容されかつ支持され、その上、クリップの変形可能な部分が変形することを許可するのに十分なクリアランスを残していることをも可能にするハウジングに、複雑な形状が備わっていることが必要となる。
【００１０】
さらに、クリップの加工の寸法公差とクリップをハウジングに組み立てるための組立の寸法公差のため、取り付け状態にないときに支持部間の間隙がかなりの変化量となり、それによってカード上の所定の位置にコネクタを配置するのに必要な力を広く分散してしまう。
【００１１】
【特許文献１】米国特許第５３３４０４９号明細書
【発明の開示】
【発明が解決しようとする課題】
【００１２】
本発明の目的は、プリント基板カード上の所定の場所にコネクタを配置するのに必要な力の分散を減少させるコネクタを提供することである。
【課題を解決するための手段】
【００１３】
本発明によれば、プリント基板カードのコネクタであって、ハウジングを具備し、該ハウジングが該ハウジングと一体であってハウジングにしっかりと接続される第一当接部であってプリント基板カードの第一面に当接する第一当接部を有し、当該コネクタが前記ハウジングと一体である第二当接部であってプリント基板カードの第二面と当接する第二当接部を有し、該第二当接部が前記第一当接部と第二当接部とが互いに対して当接方向に移動することができるように前記ハウジングに弾性的に接続され、取り付け状態にないときには、前記第一当接部と第二当接部とがプリント基板カードの理論的に最小の厚さよりも短い距離だけ離間していることを特徴とするコネクタが提供される。
【００１４】
これによれば、ハウジングと当接部とは、当接部間の間隙と弾性的な接続の剛性が良好に制御されるように単一の工程（例えば、型成形）によって得られ、それゆえ、本発明のコネクタをプリント基板カード上の所定の位置に配置するのに必要な力がいっそう均一になることを保証することが可能となる。
【００１５】
また、弾性的な当接部の配置を失敗したり、間違って配置したりすることがなくなる。
【００１６】
添付図面を参照して以下の説明を考慮すれば、本発明をより理解することができるであろう。
【発明を実施するための最良の形態】
【００１７】
図１、２、３を参照すると、本発明のコネクタ１は、ハウジング２を有し、ここでのハウジング２は、相補的な雄型のプラグを受容するのに適した雌型の受け口を形成する。
【００１８】
コネクタ１は、プリント基板カード３上に取り付けられ、プリント基板カード３にはんだ付けされる一組の接続ピン４を有する。
【００１９】
接続ピン４をはんだ付けする間、プリント基板カード３上にコネクタを確実に保持しておくために、ハウジング２は、ハウジング２と一体的に形成されて雌型の受け口の端壁を形成するハウジング壁６から突出する二つの保持組立体５を有する。保持組立体５は、本実施形態においては、互いに対称である。
【００２０】
各保持組立体５は、プリント基板カード３に対向する二つの平面部８を備えた隔壁７を有する。これら二つの隔壁７の平面部８は、コネクタ１がプリント基板カード３の面３Ａに当接する当接面を画成する。隔壁７は、当接方向に高い剛性を備えるように当接面に対して垂直な平面内に延在する。
【００２１】
また、各隔壁７は、コネクタがプリント基板カード３に取り付けられるときにコネクタ１をプリント基板カード３上に正確に位置決めするためにプリント基板カード３内に配置されたマッチングオリフィス１４を通って延在する位置決め杭９を有する。
【００２２】
隣接した隔壁７に接続される端部１１を備えた可撓ブレード１０が各隔壁７近傍に延在している。各可撓ブレード１０は、その中間に、ラッチ１３で終端する二本のアーム１２を有しており、これらアームは、コネクタ１のハウジング２に一体的になっており、これは、例えば、型成形によって得られる。
【００２３】
図４に示すように、取り付け状態にないときには、可撓ブレード１０に対向するラッチ１３の面１３Ａは、距離ｄだけ平面部８から離間している。この距離は、コネクタを取り付けることが可能なプリント基板カードの理論的に最小の厚さよりも短く、例えば、最大の加工寸法公差で薄くなったときのプリント基板カードの通常の厚さよりも短い。
【００２４】
図１、２、３を参照して説明するが、コネクタは、次のようにしてプリント基板カード上に取り付けられる。
【００２５】
位置決め杭９がプリント基板カード３内のマッチングオリフィス１４と一致するように、コネクタがプリント基板カードに提供される。
【００２６】
そして、平面部８がプリント基板カード３の対向する面３Ａと当接するまで、コネクタがプリント基板カードに押し付けられる。そのとき、ラッチ１３がプリント基板カード３を貫通する通路１５に係合せしめられ、ラッチ１３の傾斜した外側の端面１３Ｂがアーム１２を曲げてそれらアームを互いに近づけるようにして通路１５の縁部に当接する。
【００２７】
ここで、距離ｄがプリント基板カード３の厚さよりも短い場合、ラッチ１３は、通路１５の内側の部分にあるままである。
【００２８】
ラッチ１３をプリント基板カード３に貫通させるためには、ラッチ１３の上面１３Ａがプリント基板カード３の反対面と同じレベルになるまで、アーム１２の上にある可撓ブレード１０を押して可撓ブレード１０を曲げる必要がある。そのとき、ラッチ１３の上面１３Ａは、プリント基板カード３にコネクタを固定するために、アーム１２の可撓性によってプリント基板カード３の反対面３Ｂに対向する位置に自動的に移動する。
【００２９】
プリント基板カード３の厚さが距離ｄよりも大きいので、ラッチ１３の上面１３Ａは、プリント基板カード３の反対面３Ｂを押し、可撓ブレード１０がその安定状態に戻るのを抑制している。それゆえ、可撓ブレードは、撓んだ状態に維持され、したがって、平面部８をプリント基板カード３に押し付ける復元力が生じる。この復元力は、プリント基板カード３と平面部８との間にクリアランスが生じることを防止し、それによって、コネクタ１がプリント基板カード３上に適切に配置されることを保証している。
【００３０】
実際には、復元力は、コネクタ１の重さに抗して、あるいは、はんだ付けの間に生じることのある振動作用に抗して、平面部８をプリント基板カード３に押し付けることを保証するのに十分な大きさである。
【００３１】
ハウジングと保持組立体とを一体物として得ることによって、取り付け状態にないときに当接部間の距離ｄだけでなく、可撓ブレード１０の剛性をも正確に制御することが可能となり、それゆえ、プリント基板カード上の所定の位置に本発明のコネクタを配置するのに必要とされる力の分散を大幅に減少させることが可能となる。
【００３２】
本発明は上述した特定事項に限定されることはなく、むしろ、特許請求の範囲によって定義されるような本発明の範囲内から明らかな変更にまで及ぶものである。
【００３３】
特に、可撓ブレードは、その端部が隣接する隔壁７に接続されるものとして図示されており、それゆえ、可撓ブレードの剛性を正確に制御することを可能にすると共に、コネクタを簡単に型成形することができるようになっているが、可撓ブレードが隔壁から独立した自由端を有するものであってもよい。この場合、可撓ブレードがプリント基板カードに当接する足で終端していてもよいし、アーム１２がラッチ１３を備えているところのレベルで単に途切れていてもよい。
【００３４】
各可撓ブレード１０は、二つのアーム１２を有するものとして図示されているが、各可撓ブレードがアームを一つだけ有し、各アームが他方の可撓ブレードに設けられたアームが終端するラッチとは反対方向に延在するラッチを備えていてもよい。
【００３５】
ハウジングに弾性的に接続されている当接部は、プリント基板カードに対して隔壁７と同じ側で延在している可撓ブレードの部分を形成するアームの端部に保持されたラッチの形で達成されており、それゆえ、プリント基板カードに対して垂直な方向に取付可能であるが、当接部がプリント基板カードの他方の面から延在する可撓部の一部であってもよい。この場合、コネクタがプリント基板カードに取り付けられるときには、当接部の支持体は、プリント基板カードを貫通しない。そして、プリント基板カードに実質的に平行な方向から取り付けられる。
【００３６】
ハウジングにしっかりと取り付けられるコネクタの当接部は、ハウジングから突出する剛性のある隔壁上に形成された平面部によって達成されるが、これら当接部は、当接平面または当接三脚のようないくつかの他の形状であってもよい。
【００３７】
また、この実施形態において、当接部材は、隔壁に設けられた平面部またはラッチの上面に設けられた平面部によって構成されているが、当接部材は、コネクタがプリント基板カードに押圧されることを可能にするような他の形状でもよく、それは、例えば、球状の端部を有する点状部分または指状部分でもよい。
【図面の簡単な説明】
【００３８】
【図１】プリント基板カード上に取り付けられた本発明のコネクタの斜視図である。
【図２】図１におけるII方向に沿って見た拡大部分断面図である。
【図３】接続ピンを省略した図１のコネクタの側面図である。
【図４】コネクタがプリント基板カード上に取り付けられていない状態の図３に類似の図である。
【図１】
2007516566.tif 000003
【図２】
2007516566.tif 000004
【図３】
2007516566.tif 000005
【図４】
2007516566.tif 000006
【手続補正書】
【提出日】平成17年5月10日(2005.5.10)
【手続補正１】
【補正対象書類名】特許請求の範囲
【補正対象項目名】全文
【補正方法】変更
【補正の内容】
【特許請求の範囲】
【請求項１】
プリント基板カードのコネクタであって、ハウジング（２）を具備し、該ハウジングが該ハウジングと一体であって該ハウジングにしっかりと接続された第一当接部（８）であってプリント基板カードの第一面に当接する第一当接部を有し、当該コネクタが前記ハウジングと一体である第二当接部（１３）であってプリント基板カードの第二面に当接する第二当接部を有し、該第二当接部が前記第一当接部と第二当接部とが互いに対して当接方向に移動することができるように前記ハウジングに弾性的に接続され、取り付け状態にないときには、前記第一当接部（８）と前記第二当接部とがプリント基板カードの理論的に最小の厚さよりも短い距離（ｄ）だけ離間しており、前記第一当接部が少なくとも一つの当接部材（８）を有し、該当接部材が当該コネクタの当接面を画成すると共に前記ハウジング（２）から突出し且つプリント基板カードに当接して当該コネクタの前記当接面に対して垂直に延在する剛性のある隔壁（７）に保持され、前記第二当接部が少なくとも一つの当接部材（１３Ａ）を有し、該当接部材が前記ハウジング（２）から突出する可撓ブレード（１０）に固定されるアーム（１２）の端部に保持され、当該コネクタがプリント基板カード上に取り付けられたときに前記可撓ブレード（１０）がプリント基板カードの第一面の傍で延在すると共に前記アーム（１２）がプリント基板カードを貫通するコネクタにおいて、前記可撓ブレード（１０）が剛性のある隔壁（７）に近接して延在し、前記アーム（１２）が前記可撓ブレード（１０）に該可撓ブレードの中央の領域内で接続され、該可撓ブレードが隣接する剛性のある隔壁（７）に接続される端部（１１）を有することを特徴とするコネクタ。
【請求項２】
前記剛性のある隔壁（７）がプリント基板カード上に当該コネクタを位置決めするための位置決め杭（９）を備えることを特徴とする請求項１に記載のコネクタ。
【請求項３】
剛性のある隔壁（７）と該剛性のある隔壁（７）に接続される可撓ブレードとをそれぞれ有する二つの保持組立体（５）を具備することを特徴とする請求項１に記載のコネクタ。
【請求項４】
前記保持組立体（５）が互いに対称に延在していることを特徴とする請求項３に記載のコネクタ。
【国際調査報告】
2007516566.tif 000007
2007516566.tif 000008
2007516566.tif 000009
2007516566.tif 000010
2007516566.tif 000011
2007516566.tif 000012
2007516566.tif 000013